(57)【要約】【課題】  十分なブルーミングの補正をおこなうのに好適な回路を有する映像信号処理回路を提供することを目的とする。【解決手段】  輝度信号Ａの位相を遅らせる遅延回路３１と、位相の遅れた輝度信号Ｂの位相を更に遅らせる遅延回路３２と、輝度信号Ａ、Ｂ、Ｃから基準電圧Ｖｒｅｆより小さい信号成分を除去するリミット回路３３、３４、３５と、リミット回路３３、３４、３５の出力信号のうち、最小の出力信号を選択する最小値選択回路３７と、前記リミット回路３４の出力信号Ｄと最小値選択回路３７の出力信号Ｅとの差を求める減算回路３８と、位相の遅れた輝度信号Ｂと減算回路３８の出力信号Ｆとの差を求める減算回路３９とを具備する。輝度信号Ａのレベルに応じて、位相の遅れた輝度信号Ｂを選択的に補正する。【選択図】  図２
2005184596.tif 000002
【特許請求の範囲】
【請求項１】
輝度信号の位相を遅らせる第１遅延回路と、
前記第１遅延回路の出力信号の位相を更に遅らせる第２遅延回路と、
前記輝度信号に対して基準電圧より小さい信号成分を除去する第１リミット回路と、
前記第１遅延回路の出力信号に対して前記基準電圧より小さい信号成分を除去する第２リミット回路と、
前記第２遅延回路の出力信号に対して前記基準電圧より小さい信号成分を除去する第３リミット回路と、
前記第１乃至第３リミット回路の出力信号のうち、最小の出力信号を選択する最小値選択回路と、
前記第２リミット回路の出力信号と前記最小値選択回路の出力信号との差を求める第１減算回路と、
前記第２遅延回路の出力信号と前記第1減算回路の出力信号との差を求める第２減算回路と、
を具備し、
位相を遅らせた前記輝度信号を選択的に補正することを特徴とする映像信号処理回路。
【請求項２】
前記第２減算回路は、反転増幅器と加算器を有し、前記反転増幅器により前記第1減算回路の出力信号の極性を反転した信号と前記第１遅延回路の出力信号との和を求める反転加算回路であることを特徴とする請求項１記載の映像信号処理回路。
【請求項３】
前記基準電圧は制御信号により電圧を可変できる可変基準電圧であり、前記反転増幅器は前記制御信号により利得を可変できる可変利得反転増幅器であって、前記基準電圧と前記利得は前記制御信号により連動して制御されることを特徴とする請求項１または請求項２に記載の映像信号処理回路。
【請求項４】
前記制御信号は、前記補正された輝度信号の受像管への振込み電流レベルを所定値以下に調整するための可変利得増幅器の利得を制御する信号であることを特徴とする請求項３に記載の映像信号処理回路。
【請求項５】
放送番組を受信する受信手段と、
前記受信手段の出力信号を処理する請求項１乃至請求項４のいずれか１項に記載の映像信号処理回路と、
前記受信番組を表示するための番組表示手段と、
を有することを特徴とする映像表示装置。
【発明の詳細な説明】
【技術分野】
【０００１】
本発明は、映像信号処理回路に係わり、特に、ブラウン管を使用した映像表示装置のブルーミングを補正するのに好適な回路を有する映像信号処理回路およびそれを搭載した映像表示装置に関する。
【背景技術】
【０００２】
ブラウン管を使用した映像表示装置、例えばテレビ受像機において、高輝度で幅の狭い信号、例えば白文字あるいは白帯を映した時に、ブラウン管の特性により過大電流が流れてブルーミング現象が生じ、フォーカスがぼけて見える問題がある。
【０００３】
従来、コイルなどの個別部品を用いて輝度信号のスルーレートを緩くしてブルーミングを補正する回路が使用されて来たが、近年の映像信号処理回路の集積化に伴い、集積化に適したブルーミングを補正する回路が知られている（例えば、特許文献１参照。）。
【０００４】
特許文献１に開示されたブルーミングを補正する回路について図を用いて説明する。図１０はブルーミングを補正する回路を示すブロック図、図１１は図１０のブルーミングを補正する回路の動作を示すタイミングチャートである。
【０００５】
図１０に示すように、ブルーミングを補正する回路は、コンデンサと抵抗を有し、輝度信号ａを微分する微分回路１５１と、微分回路１５１の出力ｂを比較電圧と比較する比較回路１５２と、比較回路１５２の出力電圧を電流に変換する電圧電流変換回路１５３と、電圧電流変換回路１５３の出力電流を利得制御電圧に応じて調整する利得制御回路１５４とを有している。
【０００６】
更に、輝度信号ａの位相を遅らせるバッファ１５５と、バッファ１５５により位相の遅れた輝度信号ｃと利得制御回路１５４より供給される補正信号ｄとを逆相で加算する加算器１５６とを有し、補正後の輝度信号から色信号を生成する輝度／色差マトリクス回路１５７に供給している。
【０００７】
即ち、この回路では、図１１に示すように、輝度信号ａを微分して輝度信号ａの高域成分を取り出し、補正信号ｂを得ている。
【０００８】
そして、その補正信号ｂが比較電圧を超えると、位相の遅れた輝度信号ｃに補正信号ｂを反転して加算し、輝度信号ｃの負側から正側の、エッジ部のスルーレートを緩くした補正後の信号ｅにより、ブルーミング現象を抑えている。
【０００９】
しかしながら、実際にブルーミングが問題になるのはブラウン管への振込み電流レベルの高い白１００％近辺の高輝度レベルの信号であり、振込み電流レベルの低い低輝度〜中間輝度レベルの信号はほとんど問題にならない。
【００１０】
特許文献１に開示されたブルーミングを補正する回路では、輝度信号ａをコンデンサと抵抗を有する微分回路１５１で微分して補正信号ｂを得ているので、輝度信号ａからＤＣ成分は除去されている。
【特許文献１】特開２００１−１２８１９２号公報（第６−７頁、図１０）
【発明の開示】
【発明が解決しようとする課題】
【００１１】
上述した特許文献１に開示されたブルーミングを補正する回路では、輝度信号のレベルに無関係に補正しているので、画面全体がボケた感じになるという問題がある。
【００１２】
また、繰り返し成分、例えば正弦波成分を有する輝度信号では、単一パルス成分を有する輝度信号とＡＣ成分の０Ｖレベルが異なるので、同じ輝度レベルでも補正効果が変ってしまうという問題がある。
【００１３】
そのため、十分なブルーミングの補正をおこなうことが困難であり、映像の表示品質が低下する恐れがある。
【００１４】
本発明は、上記問題点を解決するためになされたもので、十分なブルーミングの補正をおこなうのに好適な回路を有する映像信号処理回路およびそれを搭載した映像表示装置を提供することにある。
【課題を解決するための手段】
【００１５】
上記目的を達成するために、本発明の一態様の映像信号処理回路では、輝度信号の位相を遅らせる第１遅延回路と、前記第１遅延回路の出力信号の位相を更に遅らせる第２遅延回路と、前記輝度信号に対して基準電圧より小さい信号成分を除去する第１リミット回路と、前記第１遅延回路の出力信号に対して前記基準電圧より小さい信号成分を除去する第２リミット回路と、前記第２遅延回路の出力信号に対して前記基準電圧より小さい信号成分を除去する第３リミット回路と、前記第１乃至第３リミット回路の出力信号のうち、最小の出力信号を選択する最小値選択回路と、前記第２リミット回路の出力信号と前記最小値選択回路の出力信号との差を求める第１減算回路と、前記第２遅延回路の出力信号と前記第1減算回路の出力信号との差を求める第２減算回路とを具備し、位相を遅らせた前記輝度信号を選択的に補正することを特徴としている。
【発明の効果】
【００１６】
本発明によれば、輝度信号のレベルに応じて輝度信号を補正することができる。また、同じレベルの輝度信号であれば、輝度信号のパターンによらず同じ補正効果が得られる。
【００１７】
従って、十分なブルーミングの補正がおこなえるので、高品質な映像を表示することができる。
【発明を実施するための最良の形態】
【００１８】
以下、本発明の実施例について図面を参照しながら説明する。
【実施例１】
【００１９】
まず、本発明の実施例１に係わる映像表示装置および映像信号処理回路について、図１乃至図７を参照して説明する。図１は本発明の実施例１に係わる映像表示装置の構成を示すブロック図である。
【００２０】
図１に示すように、映像表示装置１０は、チューナ１１、映像検波回路１２、輝度／色差分離回路（Ｙ／Ｃ分離回路）１３、可変利得増幅器１４、映像信号処理回路１５、輝度／色差マトリクス回路（Ｙ／Ｃマトリクス回路）１６、ＣＲＴドライブ回路１７およびブラウン管１８を有している。また、外部からの映像信号により、ブラウン管に映像を表示させるための外部入力端子１９を備えている。
【００２１】
この映像表示装置１０は、アンテナ２０で受信した映像放送をチューナ１１で選択して映像検波回路１２で検波し、輝度／色差分離回路１３で輝度信号と色差信号に分離する。
【００２２】
可変利得増幅器１４でブラウン管保護のため、ブラウン管への振込み電流が所定値を越えないように信号レベルを調整するための自動輝度制限回路（図示せず）からの制御電圧ＶＡＢＬにより、予め輝度信号のレベルを調整し、その調整された輝度信号を映像信号処理回路１５に入力する。
【００２３】
映像信号処理回路１５で十分なブルーミングの補正をおこなう。輝度／色差マトリクス回路１６で色信号を生成してＣＲＴドライブ回路１７でブラウン管１８を駆動し、ブラウン管１８に映像を表示している。
【００２４】
本明細書では、チューナ１１、映像検波回路１２、輝度／色差分離回路（Ｙ／Ｃ分離回路）１３および可変利得増幅器１４を、放送番組を受信する受信手段としている。また、輝度／色差マトリクス回路（Ｙ／Ｃマトリクス回路）１６、ＣＲＴドライブ回路１７およびブラウン管１８を、受信番組を表示するための番組表示手段としている。
【００２５】
図２は映像信号処理回路の構成を示すブロック図である。図３は図２の映像信号処理回路の遅延回路の具体的な構成を示す回路図、図４は、図２の映像信号処理回路のリミット回路の具体的な構成を示す回路図、図５乃至図７は、図１の映像信号処理回路の動作を示すタイミングチャートである。
【００２６】
本実施例は、ブラウン管保護のため、ブラウン管への振込み電流が所定値を越えないように予め電流レベルが調整された輝度信号に対して、ブルーミングを防止する映像信号処理をおこなう場合の例である。
【００２７】
図２に示すように、映像信号処理回路１５は、輝度信号Ａの位相を遅らせる遅延回路３１と、遅延回路３１で遅延された輝度信号Ｂの位相を更に遅らせる遅延回路３２と、輝度信号Ａ、Ｂ、Ｃから所定の基準電圧Ｖｒｅｆより小さい信号成分をそれぞれ除去するリミット回路３３、３４、３５とを有している。
【００２８】
更に、リミット回路３３、３４、３５の出力信号のうち、最小値を選択する最小値選択回路３７と、リミット回路３４の出力信号Ｄと最小値検出回路３７の出力信号Ｅとの差を求める減算回路３８と、輝度信号Ｂと減算回路３８の出力信号Ｆとの差を求める反転加算回路３９とを有している。
【００２９】
反転加算回路３９は、バッファ回路４０と、反転増幅器４１と、加算器４２を有し、電流の逆流を防止するバッファ回路４０を介した輝度信号Ｂと反転増幅器４１により極性が反転した出力信号Ｆとを加算器４２により加算し、反転加算した出力信号Ｇを輝度／色差マトリクス回路１６へ出力している。
【００３０】
可変利得増幅器１４はブラウン管への振込み電流レベルが所定値を越えないように輝度信号Ａの電流レベルを調整するために使用されている。
【００３１】
遅延回路３１、３２は、図３に示すように、例えばエミッタが共通に接続されたバイポーラトランジスタＱ１、Ｑ２と、共通エミッタと電源ラインＧＮＤの間に接続された電流源Ｉ１と、電源ラインＶｃｃとバイポーラトランジスタＱ２のコレクタの間に接続された電流源Ｉ２と、バイポーラトランジスタＱ３と、バイポーラトランジスタＱ３のエミッタと電源ラインＧＮＤの間に接続された電流源Ｉ３とで構成されている。
【００３２】
バイポーラトランジスタＱ１のベースは、コンデンサＣ１と抵抗Ｒ１の充放電回路が接続され、抵抗Ｒ１を介して入力端ＩＮに接続されている。
【００３３】
バイポーラトランジスタＱ２のベースは、抵抗Ｒ２を介して入力端ＩＮに接続されるとともに、抵抗Ｒ３を介して出力端ＯＵＴに接続されている。
【００３４】
バイポーラトランジスタＱ３のベースは、バイポーラトランジスタＱ２のコレクタに接続され、エミッタは出力端ＯＵＴに接続されている。
【００３５】
遅延回路３１、３２の遅延時間は、近似的にはコンデンサＣ１と抵抗Ｒ１の積で表されＣ１×２Ｒ１となる。
【００３６】
リミット回路３３、３４、３５は、図４に示すように、例えばエミッタが共通に接続されたバイポーラトランジスタＱ４、Ｑ５と、共通エミッタと電源ラインＧＮＤの間に接続された電流源Ｉ４とを有している。
【００３７】
バイポーラトランジスタＱ４のベースは入力端ＩＮに接続され、バイポーラトランジスタＱ５のベースには基準電源３６が接続されている。
【００３８】
基準電源３６は、電源ラインＶｃｃと接地ラインＧＮＤの間に抵抗Ｒ４と抵抗Ｒ５が直列接続された分圧回路を有している。
【００３９】
輝度信号が入力端ＩＮに入力されると基準電圧Ｖｒｅｆと比較され、輝度信号が基準電圧Ｖｒｅｆより大きい場合はバイポーラトランジスタＱ４がオンとなり、基準電圧Ｖｒｅｆが輝度信号より大きい場合はバイポーラトランジスタＱ５がオンするので、基準電圧Ｖｒｅｆより小さい信号成分が除去された信号が出力端ＯＵＴに出力される。
【００４０】
減算回路３８は、出力信号Ｄと出力信号ＥのＤＣ成分を保持してＡＣ成分のみの差を求めるものであればよく、反転加算回路３９と同じであっても構わない。
【００４１】
次に、映像信号処理回路１５の動作について、図５〜図７のタイミングチャートを用いて詳しく説明する。
【００４２】
図５は高輝度レベルに幅の狭い単発パルス成分と幅の広い単発パルス成分を有する輝度信号Ａが入力された場合の動作を示すタイミングチャートである。
【００４３】
図５に示すように、Ｔ１で幅の狭い単発パルスとＴ４で幅の広い単発パルスが立ち上がると、遅延回路３１により遅延時間だけ経過したＴ２から輝度信号Ａの位相を遅らせた輝度信号Ｂと、遅延回路３２により更に遅延時間だけ経過したＴ３で輝度信号Ｂの位相を更に遅らせた輝度信号Ｃが得られる。
【００４４】
次に、リミット回路３３、３４、３５により輝度信号Ａ、Ｂ、Ｃは所定の基準電圧Ｖｒｅｆとそれぞれ比較され、基準電圧Ｖｒｅｆより小さい信号はカットされる。
【００４５】
例えば、輝度信号ＢではＴ２とＴ３の間で幅の狭いパルス成分、およびＴ５とＴ１１の間で幅の広いパルス成分を有するリミット回路出力信号Ｄが得られる。
【００４６】
次に、最小値選択回路３７によりリミット回路３３、３４、３５の出力信号のうち、最小の出力信号が選択され、最小値選択回路出力信号Ｅが得られる。
【００４７】
ここでは、Ｔ６とＴ１０の間で最小値選択回路出力信号Ｅとしてピーク電圧Ｖｐが得られ、それ以外ではリミット回路３３、３４、３５の出力信号のいずれかが基準電圧Ｖｒｅｆと等しいので、最小値選択回路３７の出力Ｅとして基準電圧Ｖｒｅｆが得られる。
【００４８】
次に、減算回路３８によりリミット回路出力信号Ｄと最小値選択回路出力信号ＥのＡＣ成分の差が求められ、減算回路出力信号Ｆが得られる。
【００４９】
この減算回路出力信号Ｆはリミット回路出力信号ＤのＤＣ成分を保持したＡＣ成分の差分波形なので、ブルーミングの補正信号として利用することが可能である。
【００５０】
次に、反転加算回路３９により、輝度信号Ｂと減算回路出力信号ＦとのＡＣ成分の差が求められ、反転加算回路出力信号Ｇが得られる。ここでは、反転増幅器４１の利得を１／２としている。
【００５１】
これにより、幅の狭い単発パルスでは輝度レベルが低下し、幅が広い単発パルスでは負側から正側だけでなく正側から負側のエッジ部のスルーレートも緩やかになるので、パルス幅によらずエッジ部の両側を補正することが可能である。
【００５２】
図６は低輝度〜中輝度および中輝度〜高輝度レベルにパルス成分を有する輝度信号が入力された場合の動作を示すタイミングチャートである。
【００５３】
図６に示すように、Ｔ１で低輝度〜中輝度レベルにパルス成分とＴ６とＴ７の間で中輝度〜高輝度レベルにパルス成分を有する輝度信号Ａが入力されると、輝度信号Ａの位相を遅らせた輝度信号Ｂと、輝度信号Ｂの位相を更に遅らせた輝度信号Ｃが得られる。
【００５４】
次に、輝度信号Ａ、Ｂ、Ｃは基準電圧Ｖｒｅｆとそれぞれ比較され、中輝度レベルに設定された基準電圧Ｖｒｅｆより小さい信号はカットされる。例えば、輝度信号ＢではＴ２とＴ３の間のパルス成分は除去され、Ｔ７とＴ９の間のパルス成分が出力されたリミット回路出力信号Ｄが得られる。
【００５５】
次に、リミット回路３３、３４、３５の出力信号のうち、最小の出力信号が選択され、最小値選択回路出力信号Ｅが得られる。
【００５６】
ここでは、Ｔ０〜Ｔ１３の間でリミット回路３３、３４、３５の出力信号のいずれかが基準電圧Ｖｒｅｆに等しいので最小値選択回路３７の出力Ｅとして基準電圧Ｖｒｅｆが得られる。
【００５７】
次に、リミット回路出力信号Ｄと最小値選択回路出力信号Ｅの差が求められ、減算回路出力信号Ｆが得られる。ここでは、最小値選択回路出力信号Ｅが基準電圧Ｖｒｅｆと一定なので減算回路出力信号Ｆはリミット回路出力信号Ｄと同じである。
【００５８】
次に、輝度信号Ｂと減算回路出力信号Ｆとの差が求められ、反転加算回路出力信号Ｇが得られる。ここでは反転増幅器４１の利得を１／２としている。
【００５９】
これにより、ブルーミングが問題にならない低輝度〜中輝度レベルの輝度信号は補正されず、ブルーミングが問題になる中輝度〜高輝度レベルの輝度信号にのみ輝度レベルが低下するように補正されるので、輝度信号のレベルに応じて補正することが可能である。
【００６０】
図７は高輝度レベルに正弦波成分を有する輝度信号が入力された場合の動作を、高輝度レベルに幅の狭い単発パルス成分を有する輝度信号が入力された場合と比較して示すタイミングチャートで、図７（ａ）が単発パルス、図７（ｂ）が正弦波の場合である。
【００６１】
図７（ｂ）に示すように、高輝度レベルに正弦波成分を有する輝度信号Ａが入力されると、輝度信号Ａの位相を遅らせた輝度信号Ｂと、輝度信号Ｂの位相を更に遅らせた輝度信号Ｃが得られる。
【００６２】
次に、輝度信号Ａ、Ｂ、Ｃは基準電圧Ｖｒｅｆとそれぞれ比較され、中輝度レベルに設定された基準電圧Ｖｒｅｆより小さい信号はカットされる。例えば、輝度信号Ｂでは正弦波の下半分が除去されたリミット回路出力信号Ｄが得られる。
【００６３】
次に、リミット回路３３、３４、３５の出力信号のうち、最小の出力信号が選択され、最小値選択回路出力信号Ｅが得られる。
【００６４】
ここでは、Ｔ０〜Ｔ７の間でリミット回路３３、３４、３５の出力信号のいずれかが基準電圧Ｖｒｅｆと等しいので、最小値選択回路３７の出力Ｅとして基準電圧Ｖｒｅｆが得られる。
【００６５】
次に、リミット回路出力信号Ｄと最小値選択回路出力信号Ｅの差が求められ、減算回路出力信号Ｆが得られる。ここでは、最小値選択回路出力信号Ｅが基準電圧Ｖｒｅｆなので減算回路出力信号Ｆはリミット回路出力信号Ｄと同じである。
【００６６】
次に、輝度信号Ｂと減算回路出力信号Ｆとの差が求められ、反転加算回路出力信号Ｇが得られる。ここでは、反転増幅回路４１の利得を１／２としている。
【００６７】
図７（ａ）は、図５で説明した高輝度レベルに幅の狭い単発パルス成分を持つ輝度信号と同様のため、その説明は省略する。
【００６８】
これにより、高輝度レベルに正弦波成分を有する輝度信号においても、高輝度レベルに幅の狭い単発パルスを有する輝度信号と同様に輝度レベルが低下する。
【００６９】
従って、輝度レベルが同じであれば、輝度信号のパターンによらず同様に補正することが可能である。
【００７０】
以上説明したように、実施例１に係わる映像信号処理回路１５では、補正信号に輝度レベルの情報が保存されているので、輝度信号の輝度レベルに応じて輝度信号を補正することができる。また、同じレベルの輝度信号であれば、輝度信号のパターンによらず同じ補正効果が得られる。従って、十分なブルーミングの補正がおこなえるので、高品質な映像を表示することができる。
【００７１】
ここでは、補正が効き始めるレベルおよび補正量は、それぞれ一定の場合について説明したが、基準電圧Ｖｒｅｆを変えることにより補正が効き始めるレベルを調整し、反転増幅器４１の利得を変えることにより補正する量を調整することが可能である。
【実施例２】
【００７２】
図８は本発明の実施例２に係わる映像信号処理回路の構成を示すブロック図である。本実施例は、ブルーミングを補正する映像信号処理をおこなった後に、ブラウン管保護のため、ブラウン管への振込み電流が所定値を越えないように信号レベルを調整する場合の例である。
【００７３】
本実施例において上記実施例１と同一の構成部分には同一符号を付してその説明を省略し、異なる部分についてのみ説明する。
【００７４】
本実施例が実施例１と異なる点は、ブラウン管への振込み電流が所定値を越えないように信号レベルを調整するのに併せて、基準電圧および反転増幅器の利得を制御するようにしたことにある。
【００７５】
即ち、図８に示すように、本実施例の映像信号処理回路５０は、基準電源３６に替えて外部からの制御信号により電圧が制御できる可変基準電源５１と、同じく反転増幅器４１に替えて外部からの制御信号により利得が制御できる可変利得反転増幅器５３を有している。
【００７６】
ブラウン管への振込み電流を調整するための可変利得増幅器５４の利得を制御する制御信号Ｖ２が分岐され、外部からの制御信号として可変基準電源５１と可変利得反転増幅器５３にそれぞれ供給されている。この制御電圧Ｖ２は制御電圧ＶＡＢＬに比例する電圧である。
【００７７】
図９に示すように、可変基準電源５１は、制御電圧Ｖ２の変化分ΔＶ２の極性を反転させるインバータ５１ａと、抵抗Ｒ４、Ｒ５の接続点ａに接続された抵抗Ｒ６を有し、制御信号Ｖ２はインバータ５１ａに入力されている。制御信号Ｖ２が減少すると基準電圧Ｖｒｅｆが増加するように動作する。
【００７８】
ブラウン管への振込み電流が増加すると、ブルーミングが強くなる方向なので、補正が効き始めるレベルを低くし、補正量を増加させる必要がある。
【００７９】
この回路では、ブラウン管への振込み電流が増加した場合に、ブラウン管への振込み電流を下げるように制御信号Ｖ２が減少するので、可変利得増幅器５４の利得が下がりブラウン管への振込み電流が適正値になるように調整される。
【００８０】
制御信号Ｖ２が小さくなると、基準電圧Ｖｒｅｆが増加して補正が効き始めるレベルが高くなり、可変利得反転増幅器５３の利得が減少して補正量が減るので、補正効果を一定に保つことが可能である。
【００８１】
以上説明したように、実施例２に係わる映像信号処理回路５０では、可変利得増幅器５4の利得制御信号Ｖ２に連動して、基準電圧Ｖｒｅｆと可変利得反転増幅器５３の利得を制御しているので、ブラウン管への振込み電流レベルが変っても、補正効果は変らないようにすることができる。従って、十分なブルーミングの補正がおこなえるので、高品質な映像を表示することができる。
【００８２】
また、映像信号処理をブラウン管への振込み電流レベルの小さい段階でおこなっているので、映像信号処理回路５０の消費電流が減少する。
【００８３】
ここでは、可変基準電源５１と可変利得反転増幅器５３を同時に使用する場合について説明したが、ブルーミングの状況によっては、どちらか一方だけを使用しても構わない。
【００８４】
上述した実施例では、テレビ受像機のブルーミングを補正する場合について説明したが、本発明はこれに限定されるものではなく、ブラウン管を用いた種々の映像表示装置に適用することができる。
【図面の簡単な説明】
【００８５】
【図１】本発明の実施例１に係わる映像表示装置の構成を示すブロック図。
【図２】本発明の実施例１に係わる映像信号処理回路の構成を示すブロック図。
【図３】本発明の実施例１に係わる遅延回路の構成を示す回路図。
【図４】本発明の実施例１に係わるリミット回路および基準電源の構成を示す回路図。
【図５】本発明の実施例１に係わる映像信号処理回路の動作を示すタイミングチャート。
【図６】本発明の実施例１に係わる映像信号処理回路の動作を示すタイミングチャート。
【図７】本発明の実施例１に係わる映像信号処理回路の動作を示すタイミングチャート。
【図８】本発明の実施例２に係わる映像信号処理回路の構成を示すブロック図。
【図９】本発明の実施例２に係わるリミット回路および可変基準電源の構成を示す回路図。
【図１０】従来の映像信号処理回路の構成を示すブロック図。
【図１１】従来の映像信号処理回路の動作を示すタイミングチャート。
【符号の説明】
【００８６】
１０  映像表示装置
１１  チューナ
１２  映像検波回路
１３  輝度／色差分離回路
１４、５４  可変利得増幅器
１５、５０  映像信号処理回路
１６  輝度／色差マトリクス回路
１７  ＣＲＴドライブ回路
１８  ブラウン管
１９  外部入力端子
２０  アンテナ
３１、３２  遅延回路
３３、３４、３５  リミット回路
３６  基準電源
３７  最小値検出回路
３８  減算回路
３９、５２  反転加算回路
４０  バッファ回路
４１  反転増幅器
４２  加算回路
５１  可変基準電源
５１ａ  インバータ
５３  可変利得反転増幅器
Ｖｒｅｆ  基準電圧
Ｖｃｃ  電源ライン
ＧＮＤ  接地ライン
ＩＮ  入力端
ＯＵＴ  出力端
Ｃ１  コンデンサ
Ｒ１、Ｒ２、Ｒ３、Ｒ４、Ｒ５、Ｒ６  抵抗
Ｑ１、Ｑ２、Ｑ３、Ｑ４、Ｑ５  バイポーラトランジスタ
Ｉ１、Ｉ２、Ｉ３、Ｉ４  電流源
Ｖ２、ＶＡＢＬ  制御電圧
【図１】
2005184596.tif 000003
【図２】
2005184596.tif 000004
【図３】
2005184596.tif 000005
【図４】
2005184596.tif 000006
【図５】
2005184596.tif 000007
【図６】
2005184596.tif 000008
【図７】
2005184596.tif 000009
【図８】
2005184596.tif 000010
【図９】
2005184596.tif 000011
【図１０】
2005184596.tif 000012
【図１１】
2005184596.tif 000013